(57)【要約】【目的】悪質者の侵入を阻止するフエンス用防犯部材および防犯用フエンスを提供する。【構成】断面が胴縁の表面に沿う形状に湾曲又は屈曲された所望長さの取付金具には、該金具の長手方向に胴縁の上方に延出する剣先状部材が所定間隔をもって溶接等の固定手段で取り付けられていることを特徴とするフエンス用防犯部材。　並びにフエンス本体が線材を結合してなるネットフエンスであって、該フエンスの環状の胴縁の表面の一側には上記構成のフエンス用防犯部材の取付金具を、他側には受金具を当てがって、両者をボルト等の止具を上記胴縁の線材の間隙を貫通して締付け固定することを特徴とする防犯用フエンス。【選択図】図５
0003099786.tif 000002
【実用新案登録請求の範囲】
【請求項１】
断面が胴縁の表面に沿う形状に湾曲又は屈曲された所望長さの取付金具には、該金具の長手方向に胴縁の上方に延出する剣先状部材が所定間隔をもって溶接等の固定手段で取り付けられていることを特徴とするフエンス用防犯部材。
【請求項２】
取付金具の長手方向両端にとりつけられる剣先状部材は、その下端部が取付金具の幅方向にわたって溶接等の固定手段で取付けられていることを特徴とする請求項１記載のフエンス用防犯部材。
【請求項３】
フエンス本体が線材を結合してなるネットフエンスであって、該フエンスの環状の胴縁の表面の一側には請求項１または請求項２記載のフエンス用防犯部材の取付金具を、他側には受金具を当てがって、両者をボルト等の止具を上記胴縁の線材の間隙を貫通して締付け固定することを特徴とする防犯用フエンス。
【考案の詳細な説明】
【技術分野】
【０００１】本考案はフエンス用防犯部材およびその部材をとりつけた防犯用フエンスを提供する。
【背景技術】
【０００２】従来ネットフエンス、格子フエンス、ブロックフエンス等種々のタイプのフエンスは公知である。ところが防犯に配慮を施した適切なフエンスがなく、ことに近年治安の悪化が増大しており、防犯に適したフエンスが要望されていた。
【考案の開示】
【考案が解決しようとする課題】
【０００３】本考案は、悪質者がフエンスを乗り越えて住居内に侵入しようとするのを阻止することを目的としたフエンス用防犯部材およびその部材をとりつけた防犯用フエンスを提供することにある。
【課題を解決するための手段】
【０００４】本考案はつぎの特徴を備えている。その一つは「断面が胴縁の表面に沿う形状に湾曲又は屈曲された所望長さの取付金具には、該金具の長手方向に胴縁の上方に延出する剣先状部材が所定間隔をもって溶接等の固定手段で取り付けられていることを特徴とするフエンス用防犯部材」である。【０００５】その２つは上記構成において「取付金具の長手方向両端にとりつけられる剣先状部材は、その下端部が取付金具の幅方向にわたって溶接等の固定手段で取付けられていることを特徴とするフエンス用防犯部材」である。【０００６】その３つは「フエンス本体が線材を結合してなるネットフエンスであって、該フエンスの環状の胴縁の表面の一側には上記のフエンス用防犯部材の取付金具を、他側には受金具を当てがって、両者をボルト等の止具を上記胴縁の線材の間隙を貫通して締付け固定することを特徴とする防犯用フエンス」である。
【考案の効果】
【０００７】本考案のフエンス用防犯部材は、断面が胴縁の表面に沿う形状に湾曲または屈曲された所望長さの取付金具に、該金具の長手方向に胴縁の上方に延出する剣先状部材が所定間隔をもって取り付けられているので、これを既設の、または新設のフエンス本体にとりつけることにより、防犯用フエンスが可能となる。言わば、悪質者が外部からフエンスを乗り越えて内部に侵入しようとしても剣先状部材をまたぐ際に手部や脚部あるいは衣服が引っ掻かかれて、侵入が阻止されるばかりでなく、侵入に際して恐怖感を与えるので侵入をあきらめさせることになる。【０００８】また取付金具の長手方向両端にとりつけられる剣先状部材は、その下端部が取付金具の幅方向にわたって溶接等の固定手段でとりつけられておれば、該金具の端部の剛性が大きくなり、変形に対して強くなり胴縁との固定がよくなる。【０００９】フエンス本体が線材を結合してなるネットフエンスの構造であれば、環状の胴縁の一側に取付金具を、他側に受金具を当てがって、両者をボルト等の止具を、胴縁の線材の間隙を貫通して締め付け固定する構造であれば、取り付け作業が極めて簡単であり、かつ固定強度は断面強度も大であり強固となる。【００１０】さらにまた所望長さの取付金具には胴縁の上方に延出する剣先状部材が、所定間隔をもって起立しているが、剣先状部材の形状、構造の異なるものを数種類用意しておき、該取付金具を適宜組み合わせて配置すれば、フエンスの長手方向に沿って外観の異なる剣先状部材が起立するので、優れた意匠感を呈することになる。
【考案を実施するための最良の形態】
【００１１】本考案の実施形態を図面を用いて以下に説明する。図１〜図５において、１は本考案の防犯用フエンス、２はフエンス本体で縦線材２ａ、横線材２ｂを溶接、塗装等を施して適宜組格した通称ネットフエンスである。２ｃ、２ｃは上下の環状の胴縁である。図２、図５に示すように該胴縁は縦線材の端部をリング形状とし、そのリングに内側に横線材を数本溶接して環状の胴縁を形成している。環状は円形のほかに楕円形、四角形でもよい。このフエンス本体が固定具を介して支柱３に支持固定されている。【００１２】４は本考案のフエンス用防犯部材で、所望長さ（例えばフエンス本体の長さ、またはその半分あるいは３分の１の長さなど）の金属製の取付金具４ａと、該金具に溶接等の固定手段でとりつけられる剣先状部材５とから構成されている。該金具は断面が胴縁の表面形状に沿うように湾曲又は屈曲されて、図示では円弧形に湾曲しており（図３、図５参照）、胴縁の表面一側に、実施例では外側に当てがって順次図４に示す受金具６、ボルト、ナットからなる止具７を介して締め付け固定されている（図５参照）。【００１３】フエンス用防犯部材４の取付金具４ａには長手方向に沿って胴縁の上方に延出する防犯用の剣先状部材５が所定間隔をもって複数本起立している。本実施例では溶接固定しているが、取付金具と一体成型でもよい。ここで言う所定間隔は悪質者が剣先状部材の間を通れない間隔がよい。もちろん間隔が極めて小さく連続的に該部材が起立するもよい。また剣先状部材はその形状が剣の先に限定されるものでなく、悪質者が侵入の際接触によって傷つけられやすい尖鋭部や角度を有する形状を指すものであって、侵入時に接触しても負傷しないたとえば丸身の形状でないことを意味している。４ｂは止具の取付孔である。【００１４】図６は別の実施例を示す。８はアルミ製のフエンス本体で、８ａは四角形の胴縁、８ｂは格子棧（線材からなるネットフエンスでもよい）である。９はフエンス用防犯部材で、９ａは取付金具、１０は剣先状部材で上記実施例と同様である。取付金具９ａは胴縁の側面と下面に当接する形状に屈曲し、さらに端部を下方に延出して格子棧に当接する形状としている。しかしてその反対面に受金具１１を当てがって止具１２で締め付け固定している。取付金具の固定強度を増すために必要あらば取付金具と胴縁を貫通して受金具と止具で固定することもできる。【００１５】図７、図８はさらにフエンス用防犯部材の他の実施例を示す。この防犯部材１３の特徴は取付金具１３ａの長手方向両端にとりつけられる剣先状部材１４が、その下端部が取付具の幅方向にわたって溶接等の固定手段でとりつけられており、よって金具の端部の剛性を強くして変形に耐えるようにしている。この防犯部材は、支柱と胴縁を連結する固定具が胴縁の端部に位置している場合にそれに遮られて取付金具の最端部の取付孔に止具を取り付けできないので、さらに内側の取付孔に止具をとおして胴縁に固定する場合に有効である。１３ｂは取付孔である。以上本考案の実施例について説明したが、技術思想を逸脱しない限りの設計変更は可能である。
【図面の簡単な説明】
【００１６】
【図１】本考案の防犯部材をとりつけた本考案防犯用フエンスの一実施例を示す概略正面図。
【図２】同じくフエンス本体の要部斜視図。
【図３】同じくフエンス用防犯部材の要部斜視図。
【図４】同じく受金具および止具の斜視図。
【図５】図１のＸ−Ｘ線要部断面図。
【図６】本考案の他の実施例を示す要部側面図。
【図７】同じくフエンス用防犯部材の他の実施例を示す略正面図。
【図８】同じく略側面図である。
【符号の説明】
【００１７】１　　防犯用フエンス２　　フエンス本体２ａ　縦線材２ｂ　横線材２ｃ　胴縁３　　支柱４　　フエンス用防犯部材４ａ　取付金具４ｂ　取付孔５　　剣先状部材６　　受金具７　　止具８　　フエンス本体８ａ　胴縁８ｂ　格子棧９　　フエンス用防犯部材９ａ　取付金具１０　剣先状部材１１　受金具１２　止具１３　フエンス用防犯部材１３ａ取付金具１３ｂ取付孔１４　剣先状部材
【図１】
0003099786.tif 000003
【図４】
0003099786.tif 000004
【図２】
0003099786.tif 000005
【図３】
0003099786.tif 000006
【図５】
0003099786.tif 000007
【図６】
0003099786.tif 000008
【図７】
0003099786.tif 000009
【図８】
0003099786.tif 000010